(57)【要約】【課題】  棒状部材に対して、単に上向きの力が付与されることがあっても、ベースの脱落を効果的に防止でき、更に意図的な操作を加えることによって桟部材から取り外すことができる陳列用具を提供すること。【解決手段】  桟部材１１に支持されるベース１２と、このベース１２に取り付けられた棒状部材１３とにより陳列用具１０が構成されている。ベース１２は、上面部２０、前面部２１、後面部２２及び屈曲面部２３を含む。後面部２２の下端縁は傾斜縁２２Ａに設けられており、ベース１２を左右方向に傾けて傾斜縁２２Ａを桟部材１１の上壁面１１Ａと略平行に角度変位させることを条件として桟部材１１に対してベース１２が着脱自在となっている。【選択図】          図１
2006246960.tif 000002
【特許請求の範囲】
【請求項１】
桟部材に支持されるベースと、このベースに取り付けられて陳列対象物を保持する保持体とを備えた陳列用具において、
前記ベースは、前記桟部材の上部側に位置する上部材と、桟部材の前部に位置する前部材と、桟部材の後部に位置するとともに前記前部材よりも上下寸法が小さく設けられた後部材と、前記前部材の下部から桟部材の下方に向けられた屈曲部材とを含み、
前記後部材の下端縁は傾斜縁に設けられ、当該傾斜縁が桟部材に対して略平行となるように前記ベースを傾けることで当該ベースが桟部材に着脱自在に設けられていることを特徴とする陳列用具。
【請求項２】
略角柱状の桟部材に支持されるベースと、このベースに取り付けられて陳列対象物を保持する棒状部材とを備えた陳列用具において、
前記ベースは、前記桟部材の上壁面側に位置する上面部と、桟部材の前壁面側に位置する前面部と、桟部材の後壁面側に位置するとともに前記前面部よりも上下寸法が小さく設けられた後面部と、前記前面部の下部から桟部材の下方に向けられた屈曲面部とを含み、
前記後面部の下端縁は傾斜縁に設けられ、前記ベースを左右方向に傾けて前記傾斜縁を前記上壁面と略平行にしたときに、前記傾斜縁と屈曲面部との間にベースを桟部材に対して着脱自在とする空間が形成されることを特徴とする陳列用具。
【請求項３】
前記屈曲面部は前記前面部の左右方向に沿う一端側に設けられ、前記後面部は、前記左右方向に沿う他端側が最大となる状態で前記傾斜縁を備えていることを特徴とする請求項２記載の陳列用具。
【請求項４】
前記屈曲部材の後部に上向きの起立部が連設され、当該起立部の上端縁は、前記後部材の傾斜縁と略平行な傾斜縁に設けられていることを特徴とする請求項１記載の陳列用具。
【発明の詳細な説明】
【技術分野】
【０００１】
本発明は陳列用具に係り、更に詳しくは、上向きの力が作用したときに、不用意に脱落することのない陳列用具に関する。
【背景技術】
【０００２】
従来より、商品等を陳列する種々の陳列什器が知られている。周知の陳列什器としては、棚板に商品を載せて陳列するタイプの他、商品のパッケージ等に形成された穴に棒状部材を挿入して当該商品を吊り下げた状態で陳列するタイプが存在する。
後者のタイプに用いられる陳列用具は、左右一対の支柱間に位置する桟部材に着脱自在に設けられたベースと、このベースに取り付けられて前方に延びる棒状部材とを備えた構成が一般的に採用されている。
【０００３】
特許文献１には、前記陳列用具の従来構造が示されている。この陳列用具は、桟部材を前後方向に跨ぐように設けられたベースと、このベースの前面に取り付けられた棒状部材とを備えて構成されている。ベースは、桟部材の上面側に位置する上面部と、この上面部の前後から垂下する前面部及び後面部とにより構成され、前面部の下部は、後方に向かって若干傾斜する傾斜面に設けられている。
【０００４】
【特許文献１】特公昭４１−１４７６１号公報
【発明の開示】
【発明が解決しようとする課題】
【０００５】
しかしながら、特許文献１に記載された陳列用具にあっては、棒状部材に対して上向きの力が付与されたときに、桟部材に対してベースの上方移動を許容する構成となっている。そのため、消費者等によって棒状部材に対して上向きの力が付与されたときに、ベースが桟部材の上方に抜け出てしまい、これによって、陳列用具を落下させ、棒状部材に支持されている多数の商品を落下させてしまう、という不都合を招来する。
【０００６】
［発明の目的］
本発明は、このような不都合に着目して案出されたものであり、棒状部材に対して、単に上向きの力が付与されることがあっても、ベースの脱落を効果的に防止でき、更に意図的な操作力を加えることによって桟部材から取り外すことができる陳列用具を提供することにある。
【課題を解決するための手段】
【０００７】
前記目的を達成するため、本発明は、桟部材に支持されるベースと、このベースに取り付けられて陳列対象物を保持する保持体とを備えた陳列用具において、
前記ベースは、前記桟部材の上部側に位置する上部材と、桟部材の前部に位置する前部材と、桟部材の後部に位置するとともに前記前部材よりも上下寸法が小さく設けられた後部材と、前記前部材の下部から桟部材の下方に向けられた屈曲部材とを含み、
前記後部材の下端縁は傾斜縁に設けられ、当該傾斜縁が桟部材に対して略平行となるように前記ベースを傾けることで当該ベースが桟部材に着脱自在に設けられる、という構成を採っている。
【０００８】
また、本発明は、略角柱状の桟部材に支持されるベースと、このベースに取り付けられて陳列対象物を保持する棒状部材とを備えた陳列用具において、
前記ベースは、前記桟部材の上壁面側に位置する上面部と、桟部材の前壁面側に位置する前面部と、桟部材の後壁面側に位置するとともに前記前面部よりも上下寸法が小さく設けられた後面部と、前記前面部の下部から桟部材の下方に向けられた屈曲面部とを含み、
前記後面部の下端縁は傾斜縁に設けられ、前記ベースを左右方向に傾けて前記傾斜縁を前記上壁面と略平行にしたときに、前記傾斜縁と屈曲面部との間にベースを桟部材に対して着脱自在とする空間が形成される、という構成を採っている。
【０００９】
本発明において、前記屈曲面部は前記前面部の左右方向に沿う一端側に設けられ、前記後面部は、前記左右方向に沿う他端側の上下寸法が最大となる状態で前記傾斜縁を備えた構成とされている。
【００１０】
また、前記屈曲部材の後部に上向きの起立部が連設され、当該起立部の上端縁は、前記後部材の傾斜縁と略平行な傾斜縁に設けられる、という構成を採用することもできる。
【発明の効果】
【００１１】
本発明によれば、後部材の下端縁が傾斜縁とされているため、ベースが桟部材に対して上昇しても、傾斜縁の全領域が桟部材の上面より上方に位置する姿勢とならない限り、ベースの着脱を行うことができないことになる。すなわち、本発明では、ベースを回転させて前記傾斜縁が桟部材に対して略平行となったときに着脱を可能とするものであるため、ベースを回転させない限り、当該ベースの脱落を規制することができる。従って、ベースの取り外すときは、上向きの力以外に、ベースを回転させる力が要求される。この点、一般的に、保持体に加えられる外力は、上向きの力だけと考えられるので、仮に、上向きの力が付与されたとしても、ベースは、屈曲部材が桟部材の下部にぶつかる位置までしか上昇できず、このとき、傾斜縁の上下幅寸法が最大となる領域が桟部材に引っ掛かる形状であるため、ベースが桟部材から不用意に脱落してしまうおそれは回避される。
【発明を実施するための最良の形態】
【００１２】
以下、本発明の好ましい実施形態を図面を参照しながら説明する。
【００１３】
［第１実施形態］
図１には、第１実施形態に係る陳列用具を正面側から見た概略斜視図が示され、図２には、背面側から見た概略斜視図が示されている。これらの図において、陳列用具１０は、桟部材１１に着脱自在な状態で支持されるベース１２と、当該ベース１２に取り付けられた保持体としての棒状部材１３とを備えて構成されている。ここで、桟部材１１は、上壁面１１Ａと、当該上壁面１１Ａの前後各縁から垂下する前壁面１１Ｂ及び後壁面１１Ｃと、上壁面１１Ａと略平行となる下壁面１１Ｄとを有する略角柱形状に形成されている。この桟部材１１は、その両端が図示しない左右一対の支柱間に支持されるようになっている。
【００１４】
前記ベース１２は、一枚の金属板を曲げ加工して形成されたものであり、当該ベース１２は、桟部材１１の上壁面１１Ａ上に位置する上部材としての上面部２０と、桟部材１１の前壁面１１Ｂの外側に位置する下向きの前部材としての前面部２１と、桟部材１１の後壁面１１Ｃの外側に位置するとともに前記前壁面１１Ｂよりも上下寸法が小さい下向きの後部材としての後面部２２と、前記前面部２１の下部から桟部材１１の下方、すなわち、下壁面１１Ｄに沿って後方に向けられた屈曲部材としての屈曲面部２３とにより構成されている。ここで、屈曲面部２３は、前面部２２の左右幅よりも相当に小さい幅に設定され、本実施形態では、前面部２２の左右方向一端側となる図１中右端側に設けられている。
【００１５】
前記前面部２１と後面部２２との間の寸法は、桟部材１１の前後幅寸法よりも僅かに大きく設定されているとともに、上面部２０と屈曲面部２３との離間寸法は、屈曲面部２３が傾斜することなく略水平姿勢で前記下壁面１１Ｄに接触する位置まで上昇した場合において、後面部２２の下端縁２２Ａの全領域が上壁面１１Ａよりも上方に位置することがない寸法に設定されている。また、屈曲面部２３が傾斜姿勢となるときに（図５参照）、傾斜縁２２Ａの全領域が上壁面１１Ａに対して略平行となり、傾斜縁２２Ａと屈曲面部２３との間に、ベース１２の着脱を許容する空間を形成する寸法に設定されている。そのため、傾斜縁２２Ａは、左右方向において、前記屈曲面部２３が位置する一端側に対して他端側の上下寸法が最大となる状態で形成されている。
【００１６】
前記棒状部材１３は、一本の丸軸材を素材として側面視略Ｌ字状をなすように屈曲形成され、このＬ字の短寸軸部１３Ａがベース１２の前面部２１に溶接等の手段を介して固定されている。棒状部材１３の先端はやや上向きに曲げ加工されており、当該先端を通じて商品等のパッケージＰに形成された穴Ｐ１に棒状部材１３を挿入することで、商品が吊り下げ保持されるようになっている。
【００１７】
次に、第１実施形態における陳列用具１０の着脱方法について、図５及び図６をも参照しながら説明する。
【００１８】
陳列用具１０を桟部材１１に取り付ける場合には、図５に示されるように、桟部材１１の前壁面１１Ｂにベース１２を押し当てるとともに、ベース１２の右側が左側よりも低くなるように全体的に傾斜した姿勢とし、傾斜縁２２Ａが桟部材１１の上壁面１１Ａに対して略平行となるようにする。これにより、傾斜縁２２Ａと、屈曲面部２３の左端縁２３Ａとの間に、桟部材１１の上下寸法を超える空間が形成されることとなる。従って、この状態で、ベース１２を押し込むことで、前面部２１の内面に前壁部１１Ｂが面接触する位置まで後方移動でき、そこで、ベース１２を持つ手を離すことで、ベース１２が反時計方向に回転し、上面部２０が上壁面１１Ａに対して平行となるように面接触して装着作業を完了することができる。
【００１９】
なお、陳列用具１０を桟部材１１から取り外す場合には、前述した装着時の動作を反対に行うことで容易に行うことができる。
【００２０】
従って、このような第１実施形態によれば、桟部材１１に対し、ベース１２を上下方向と回転方向の双方に移動させる必要があるため、棒状部材１３に単なる上昇力が付与されたとしても、ベース１２が桟部材１１に対して一定量上昇するだけであり、後面部２２の上下方向寸法が大きい領域が後壁面１１Ｃに引っ掛かることとなる。従って、ベース１２を別途に回転させて傾斜縁２２Ａを略水平とする操作を行わない限り、当該ベース１２に対する桟部材１１の出し入れができなくなり、これにより、陳列用具１０の不用意なる脱落を効果的に回避することができる。
【００２１】
［第２実施形態］
次に、本発明の第２実施形態について、図７を参照しながら説明する。ここで、前記第１実施形態と同一若しくは同等の構成部分については同一符号を用いるものとし、説明を省略若しくは簡略にする。
【００２２】
第２実施形態は、屈曲面部２３を上面部２０と略同一平面サイズに設け、屈曲面部２３の後部に前記後面部２２と略対称形状をなす起立部３０を設けたところに特徴を有する。起立部３０は、その上端縁が後面部２２の傾斜縁２２Ａと略平行な傾斜縁３０Ａに設けられ、これら傾斜縁２２Ａ，３０Ａ間のクリアランスＣが桟部材１１の上下高さ寸法より僅かに大きく設定されている。その他の構成は実質的に第１実施形態と同様になっている。
【００２３】
従って、このような第２実施形態によっても、第１実施形態と同様の操作で陳列用具１０を桟部材１１に着脱できる他、起立部３０の左右幅が長い分、脱落防止効果を一層高めることができる。
【００２４】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置、などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記第１実施形態の後面部２２は、屈曲面部２３の略対角相当位置に下向きに延びるアーム等に代替することでもよい。この際、屈曲面部２３も面形状を有することなく軸状に突出する構造としてもよい。要するに、本発明は、ベース１２を傾けることを条件に、着脱することができる構成であれば足りる。
【００２６】
更に、保持体としては棒状部材１３に限らず、商品等を保持することができる他の構造体も含む。
【図面の簡単な説明】
【００２７】
【図１】第１実施形態に係る陳列用具が適用された状態を示す正面側の概略斜視図。
【図２】前記陳列用具が適用された状態を示す背面側の概略斜視図。
【図３】図１の左側面図。
【図４】図１の右側面図。
【図５】ベースを桟部材に対して着脱する際の姿勢を示す正面図。
【図６】ベースが桟部材に装着された状態を示す正面図。
【図７】第２実施形態に係る陳列用具が適用された状態を示す背面側の概略斜視図。
【符号の説明】
【００２８】
１０  陳列用具
１１  桟部材
１２  ベース
１３  棒状部材（保持体）
２０  上面部
２１  前面部
２１Ａ  膨出部
２２  後面部
２３  屈曲面部
３０  起立部
【図１】
2006246960.tif 000003
【図２】
2006246960.tif 000004
【図３】
2006246960.tif 000005
【図４】
2006246960.tif 000006
【図５】
2006246960.tif 000007
【図６】
2006246960.tif 000008
【図７】
2006246960.tif 000009